(57)【要約】      （修正有）【課題】食用油などの飛沫を効果的に防ぐことのできる鍋蓋を提供する。【解決手段】蓋本体１０Ａと、蓋本体１０Ａの中心より同心円状に設けられた複数の排気孔２０と、この排気孔と対峙するように設けられた、同心円よりも径大な飛散抑止体１０Ｂとを有する。飛散抑止体１０Ｂは蓋本体１０Ａに対して所定の間隔を保持して対向配置されている。食用油などの飛沫は油分を多く含んだ蒸気であるが、この飛沫が調理鍋３０から四方に飛散しても、蓋本体１０Ａでその飛沫の大部分を防ぐと共に、複数の排気孔２０を通過した蒸気の一部は上面に対向する飛散抑止体１０Ｂの内壁まで上昇するうちに冷やされて蒸気が消失する。【選択図】図５
0003211590.tif 000002
【実用新案登録請求の範囲】
【請求項１】
蓋本体と、
この蓋本体の中心より同心円状に設けられた複数の排気孔と、
この排気孔と対峙するように設けられた、上記同心円よりも径大で、お椀状をなす蒸気の飛散抑止体とを有し、
この飛散抑止体は上記蓋本体に対して所定の間隔を保持して対向配置された
ことを特徴とする鍋蓋。
【請求項２】
上記蓋本体は、上記排気孔より蓋本体中心に向かってドラ鉢状で、緩やかに湾曲した膨出部を有する
ことを特徴とする請求項１記載の鍋蓋。
【請求項３】
上記膨出部に設けられた排気孔は、調理鍋内の蒸気を排気するに充分な径と個数を有する
ことを特徴とする請求項１又は２記載の鍋蓋。
【考案の詳細な説明】
【技術分野】
【０００１】
この考案は、各種調理用として使用される鍋蓋、特に調理中に食用油などの飛沫によって調理人が火傷をしたりすることのないようにして安全な調理を実現できる鍋蓋に関する。
【背景技術】
【０００２】
鍋を使用して調理を行う場合、その具材によっては食用油を使用する。野菜や魚介の天ぷら、トンカツ、鶏肉、メンチやコロッケなど多種多様な揚げ物には、調理鍋が使用される。
【０００３】
調理鍋には蓋が付き物である。調理鍋の用途によって多種多様な大きさや形を持った鍋が市販されているので、その用途に合わせた鍋蓋が存在する。
【０００４】
食用油を用いて調理する場合には、食用油の加熱温度は１５０〜２００℃の範囲内となる。このような温度に加熱されると、具材を調理しているときに、食用油が鍋の面から四方に飛散し、その飛沫の一部が調理人の腕に飛び跳ねたりして火傷したりすることはよく経験する。食用油は四方に飛散するため調理台上などに油分を多く含んだ飛沫が落ち、調理台を汚したりすることもある。
【０００５】
そのため、食用油を使用した調理中はできるだけ蓋をし、ときどき蓋を開けて揚げ具合を見るようにした方が好ましい。蓋は多少湾曲したものが使用され、調理鍋の大きさに合ったものが使用される。鍋蓋に関連する文献のうち幾つかを列挙すると以下のようなものが挙げられる。
【０００６】
特許文献１は、煮こぼれを無くすために考案されたもので、鍋蓋が二重構造となっていて、下蓋に複数の孔を空け、上蓋にも同様な孔を空けておき、上蓋を下蓋に対して回動自在に取り付けてある。鍋の中の煮物が沸騰し始めると、煮汁がこぼれ落ちる。そのとき上蓋を回して下蓋の孔と一致させて、鍋の中の蒸気を孔から排気させることで、煮汁がこぼれないようにしている。
【０００７】
特許文献２では、蓋本体に複数の孔を設け、把持部に設けられたフランジ（蒸気排出量調整部材）の下面に設けられた隙間を、この孔と対向させて蒸気の通路（逃げ道）を作ることで、鍋の中の圧力を調整する炊飯・煮炊き用鍋が開示されている。
【０００８】
特許文献３では、蓋本体に対してこれを覆うようにほぼ半球状の椀部を設け、蓋本体に設けられた複数の排気孔に対し、椀部の天頂部に一個所空孔を設けた構成が開示されている。
【先行技術文献】
【特許文献】
【０００９】
【特許文献１】実用新案登録第３１２４６１２号
【特許文献２】特開２０１２−６１２６０号
【特許文献３】特開２０１５−５１３３３号
【考案の概要】
【考案が解決しようとする課題】
【００１０】
ところで、上述した特許文献１〜３に開示された技術は、何れも特に食用油のように調理鍋の外側に飛び散ると、その飛沫が危険であったりする場合にこれを防護する機能を備えた鍋蓋としては全く配慮されていない。
【００１１】
特許文献１の場合、下蓋と上蓋の双方の孔を貫通させたときには鍋の中の圧力が減少する反面、これらの孔から厚い蒸気（煮汁の蒸気）が吹き上げるので、蒸気を塞ぐことはできない。そのため、鍋の中味が食用油などであると、飛沫であっても高温であるため火傷などするおそれがある。
【００１２】
特許文献２の場合には、蒸気を排気するための隙間が１個所であるため、食用油などのような比較的高温な蒸気の場合には充分な排気量を確保できなくなる虞があり、蓋を余分に開閉しなければなないなどの使用上の不便さが残る。
【００１３】
特許文献３では、天頂部のみに孔が空いているため、この天頂部からまだ厚い蒸気が吹き上げてくるので、食用油のような油分を含んだ高温の蒸気の場合にはその危険性を回避することは困難である。
【００１４】
そこでこの考案は上述した課題を解決したものであって、食用油のような比較的高温の飛沫や蒸気などを直接触れないように工夫した鍋蓋を提案するものである。
【課題を解決するための手段】
【００１５】
上述した課題を解決するため、請求項１記載の考案に係る鍋蓋は、蓋本体と、この蓋本体の中心より同心円状に設けられた複数の排気孔と、この排気孔と対峙するように設けられた、上記同心円よりも径大な飛散抑止体とを有し、この飛散抑止体は上記蓋本体に対して所定の間隔を保持して対向配置されたことを特徴とする。
【００１６】
請求項２記載のこの考案に係る鍋蓋は請求項１記載の鍋蓋であって、蓋本体は、上記排気孔より蓋本体中心に向かってドラ鉢状で緩やかに湾曲した膨出部を有することを特徴とすることを特徴とする。
【００１７】
請求項３記載のこの考案に係る鍋蓋は、請求項２記載の鍋蓋であって、上記膨出部に設けられた排気孔は、調理鍋内の蒸気を排気するに充分な径を有することを特徴とする。
【考案の効果】
【００１８】
以上説明したようにこの考案に係る鍋蓋は、蓋本体に複数の排気孔を形成すると共に、これら複数の排気孔と対峙するように飛散抑止体を対向配置したものである。
【００１９】
これによれば、高温の蒸気（湯気や飛沫、水蒸気など）は複数の排気孔に導かれるまでの行程で多少温度が下がると共に、排気孔を通過して上昇した蒸気は飛散抑止体の内面に沿いながら外部に排気されるために、蒸気は冷やされて殆ど消失してしまう。そのため、調理をする人が高温の蒸気に触れたりすることがないので、安全である。油分を含んだ蒸気などは、室内に放散する割合が非常に少なくなることから、調理台や台所の壁などに蒸気が付着して油っぽくなるおそれもなくなり、安全で清潔感を保てる。
【図面の簡単な説明】
【００２０】
【図１】この考案に係る鍋蓋の一例を示す側面図である。
【図２】その平面図である。
【図３】上部の飛散抑止体を外した蓋本体の平面図である。
【図４】図１の断面図である。
【図５】この考案に係る鍋蓋の使用状態の一例を示す図である。
【考案を実施するための形態】
【００２１】
［実施例］
続いて、この考案に係る鍋蓋の一例を、図面を参照して説明する。
図１は、この考案に係る鍋蓋１０の一例であって、鍋蓋１０は蓋本体１０Ａと、その上面に設けられた飛散抑止体１０Ｂと、把持部１０Ｃとで構成される。蓋本体１０Ａと飛散抑止体１０Ｂは、加工性、価格などの面から何れもアルミ材が使用される。
【００２２】
蓋本体１０Ａは鍋３０（図５参照）の開口端縁を蓋することができる程度の大きさで、ほぼ平坦面からなる平坦部１４を有すると共に、その中心に向かって若干膨れあがり、丸味を帯びた膨出部１２を有する。
【００２３】
平坦部１４は鍋３０の開口端縁よりも若干多き目であって、開口端縁に接する程度の口径を有するもので、この例では図１〜図４に示すように、鍋３０のサイズに合うように、３タイプの鍋３０に合わせて、複数の段部１４Ａ〜１４Ｃが設けられ、それぞれの段部１４Ａ〜１４Ｃが各開口端縁の当接面として利用される。鍋蓋１０が単品専用である場合には、内側の２つの段部１４Ａと１４Ｂは不要になる。
【００２４】
最内周の段部１４Ａと連なるようにこの平坦部１４と一体に膨出部１２が設けられる。膨出部１２は鍋３０の中から立ちのぼる湯気や蒸気などが周囲に発散しないで、中心部に向かうように多少の膨らみを持った盛り上がりのあるドラ鉢形状となされている。勿論単に皿状であってもよい。膨出部１２の形状は、図示の例に限定されるものではなく、丸味を帯びた傘に類似の形状であってもよい。
【００２５】
図３に示すように膨出部１２の中心Ｐに対し、同心円状に複数の排気孔２０が穿設される。排気孔２０は、鍋３０から立ちのぼる湯気や、水蒸気あるいは油分を多く含んだ蒸気などを膨出部１２の内面に沿いながらこれら複数の排気孔２０を介して蓋本体１０Ａの外部に逃がすためのものである。このような目的に合致していれば、排気孔２０の個数、サイズなどは特に拘泥しない。この例では、蓋本体１０Ａの外径が２０〜２４ｃｍの鍋蓋に適用したので、この場合には中心より６〜８ｃｍ程度の同心円上に等間隔（４５°程度）に、直径が６〜８ｍｍの排気孔２０がトータル８個穿設されている。
【００２６】
このような個数とサイズに選定したのは、蓋本来の機能（熱さを逃がさないための煮蓋としての機能）を損なうことなく、蒸気特に油分を含んだ蒸気（湯気や、水蒸気をも含む）を有効に、蓋本体１０Ａの上部に排気できるようにするためである。排気孔２０の径が大きく、穿設個数が多かったり、これとは逆に、排気孔２０の径が小さ過ぎたり、穿設個数が少ないと、蓋本来の機能を発揮できなくなるおそれがあるからである。
【００２７】
蓋本体１０Ａの上方には、膨出部１２と対向するように飛散抑止体１０Ｂが設けられる。飛散抑止体１０Ｂは複数の排気孔２０より排気された蒸気をできるだけ四方に飛散・放散させないでその内壁面に沿って流れるようにして、蒸気の流れを抑止しながら、蒸気を適度に冷やして蒸気を消失させるために使用される。
【００２８】
そのため、飛散抑止体１０Ｂは、図１や図４に示すように緩やかな笠型であって、ドラ鉢状に似た形状となされた椀体が使用され、その外径は少なくとも膨出部１２に形成された排気孔２０を包み込むような大きさに選定されると共に、膨出部１２に対して所定の間隙を保持して対峙するようにスペーサ２２を介して、膨出部１２に取り付け固定される。
この例では、図４に示すように把持部１０Ｃの内側に雌ねじ２４が嵌通固定されており、この雌ねじ２４に対して、膨出部１２の内側よりスペーサ２２を介して雄ネジ２６を締め付けることで、飛散抑止体１０Ｂが膨出部１２したがって蓋本体１０Ａに所定の間隙を保持して固定される。その間隔は適宜選定し得るも、蒸気を効率よく消失させるためには、１〜２ｃｍ程度の空きがあった方がよい。把持部１０Ｃはコルクやプラスチックなどの耐熱性を有する取っ手が用いられる。
【００２９】
蓋本体１０Ａを食用油用として使用する場合には、蓋本体１０Ａを始めとして飛散抑止体１０Ｂが油で汚れ易い。この鍋蓋１０は、雄ネジ２６を外すことで、蓋本体１０Ａ，飛散抑止体１０Ｂを簡単に分解することができるので、個別に洗浄でき、常に清潔な鍋蓋１０として使用できるように工夫されている。雄ネジ２６を膨出部１２に固定した構成を採用する場合には、把持部１０Ｃ側を回転させることで分解できる。
【００３０】
このような構成を採用したこの考案に係る鍋蓋１０は、図５のように使用される。鍋３０としては調理用の鍋であっても、口径の小さいものから、大きいもの、底の浅いものから、深いもの、把持部の付いているもの、付いていないもの、と様々な形状や、サイズの鍋が市販されている。この考案に係る鍋蓋１０は何れの形状、サイズの鍋に対しても適用できる。
【００３１】
図５の例は一般的な鍋３０の断面図を示す。この例では鍋蓋１０の最大口径に対応した鍋３０を使用した場合であって、最外周の段部（第１の段部）１４Ｃが鍋３０の開口端縁に当接して、鍋３０に蓋をすることができる。
【００３２】
鍋３０には調理の目的に応じた出汁や具材が入れられたりするが、食用油を使用した揚げ物の例の場合には、揚げ物に適した温度（１６０〜１９０℃程度）まで加熱される。加熱されると油分を含んだ蒸気が鍋３０全体に立ちのぼる。具材によっても相違するが、水分を多く含んだ天ぷらなどの具材の場合、具材が投入されてからしばらくすると、油が跳ね上がる。この油跳ねなどの油の飛沫によって火傷をしたりすることがある。そのため、具材を投入し終わったら、できるだけ早く鍋蓋１０を使用して蓋を閉じる。
【００３３】
油面から立ちのぼった油滴などの蒸気４０は膨出部１２に阻まれるので、蒸気４０は膨出部１２の内壁に沿ってその中心部に向かう。中心部に向かう行程で蒸気４０は多少冷やされ、冷やされながら蒸気４０の一部は膨出部１２に設けられた複数の排気孔２０を介して外部に逃げる。この蒸気の逃げによって鍋３０の中の圧力が過度に高まるのを防ぐこともできる。
【００３４】
排気孔２０を通過した蒸気４０はさらにゆらゆらと上昇して、飛散抑止体１０Ｂの内面に到達する。飛散抑止体１０Ｂは外気温であるため、飛散抑止体１０Ｂの内面によって蒸気４０はさらに冷やされ、殆どの場合飛散抑止体１０Ｂの内部で蒸気４０が消失する。
したがって油分を含んだ蒸気４０が飛散抑止体１０Ｂの四方に洩れて、調理人が火傷をしたり、台所の壁に付着したりすることが少なくなる。実際に、この考案に係る鍋蓋を使用して体験すれば、その効果が大きいことを実感できる。  
鍋蓋１０の材質としてはアルミ材を使用したが、ステンレス材や、耐熱強化ガラス材（透明ガラス）などを使用することもできる。  
【産業上の利用可能性】
【００３５】
この考案に係る鍋蓋は、煮物や特に食用油を使用した鍋料理などに適用して好適である。
【符号の説明】
【００３６】
１０  鍋蓋
１０Ａ  蓋本体
１０Ｂ  飛散抑止体
１０Ｃ  把持部
１２  膨出部
１４  平坦部
１４Ａ〜１４Ｃ  段部
２０  排気孔
【図１】
0003211590.tif 000003
【図２】
0003211590.tif 000004
【図３】
0003211590.tif 000005
【図４】
0003211590.tif 000006
【図５】
0003211590.tif 000007
【手続補正書】
【提出日】平成29年5月24日(2017.5.24)
【手続補正１】
【補正対象書類名】実用新案登録請求の範囲
【補正対象項目名】全文
【補正方法】変更
【補正の内容】
【実用新案登録請求の範囲】
【請求項１】
蓋本体と、
この蓋本体の中心より同心円状に設けられた複数の排気孔と、
この排気孔と対峙するように設けられた、上記同心円よりも径大で、お椀状をなす蒸気の飛散抑止体とを有し、
この飛散抑止体は上記蓋本体に対して所定の間隔を保持して対向配置された
ことを特徴とする鍋蓋。
【請求項２】
上記蓋本体は、上記排気孔より蓋本体中心に向かってドラ鉢状で、緩やかに湾曲した膨出部を有する
ことを特徴とする請求項１記載の鍋蓋。
【請求項３】
上記膨出部に設けられた排気孔は、調理鍋内の蒸気を排気するに充分な径と個数を有する
ことを特徴とする請求項２記載の鍋蓋。